(57)【特許請求の範囲】
【請求項１】
雨水が流入する雨水流入部、前記雨水が流出する雨水流出部及び貯留可能量を超えた場合に前記雨水を排出させるオーバーフロー部を有し、両端部が閉塞された大口径の直管により構成される貯留管と、
前記雨水流入部に一方の端部が接続された雨水流入管と、
前記オーバーフロー部に一方の端部が接続されたオーバーフロー管と、
前記雨水流出部に一方の端部が挿入された雨水流出管を備える雨水貯留システムであって、
前記貯留管は、該貯留管の上部に地上と連通した点検口を有し、前記点検口の直下に前記雨水流出管の前記一方の端部が配置されていることを特徴とする雨水貯留システム。
【請求項２】
前記大口径の直管は、呼び径５００ｍｍ以上の直管であることを特徴とする請求項１記載の雨水貯留システム。
【請求項３】
前記貯留管は、前記雨水流入部が設けられている貯留管上流部と前記雨水流出部が設けられている貯留管下流部とを有し、前記貯留管上流部と前記貯留管下流部の間に、少なくとも１つの前記大口径の直管を連結可能であることを特徴とする請求項１または２記載の雨水貯留システム。
【請求項４】
前記点検口に地上と連通した立ち上り管が接続されていることを特徴とする請求項１〜３の何れか一項に記載の雨水貯留システム。
【請求項５】
前記雨水流出部は、前記貯留管の下流側の端部の最下部に設けられていることを特徴とする請求項１〜４の何れか一項に記載の雨水貯留システム。
【発明の詳細な説明】
【技術分野】
【０００１】
本発明は、雨水を貯留する雨水貯留システムに関するものである。
【背景技術】
【０００２】
近年ゲリラ豪雨等による大量の雨水を貯留する設備として、複数のマンホールを配管により接続し、複数のマンホールと配管に雨水を貯留する設備が知られている（例えば特許文献１参照）。
また、宅地内の建物の周囲に配設された個別雨水合流部及び個別雨水合流部に配管により接続された宅地内最終雨水合流部により雨水を貯留する雨水貯留システムが知られている（例えば特許文献２参照）。
【先行技術文献】
【特許文献】
【０００３】
【特許文献１】特開２００５−２４８４２４号公報
【特許文献２】特開２００５−１８８０６０号公報
【発明の概要】
【発明が解決しようとする課題】
【０００４】
しかしながら、特許文献１に開示されている設備においては、マンホールの底部にマンホールから雨水を流出させる配管が接続されるため、配管の施工のために地面を深く開削する必要があり施工費用が増大するという問題がある。
【０００５】
また特許文献２に開示されている雨水貯留システムにおいては、雨水の貯留量を稼ぐために卵形断面形状を有する卵形配管を用いており、施工に複雑な作業が必要になると共に部材コストが高いという問題がある。
【０００６】
本発明の目的は、低コストで大量の雨水を貯留することができる雨水貯留システムを提供することである。
【課題を解決するための手段】
【０００７】
本発明の雨水貯留システムは、雨水が流入する雨水流入部、前記雨水が流出する雨水流出部及び貯留可能量を超えた場合に前記雨水を排出させるオーバーフロー部を有し、両端部が閉塞された大口径の直管により構成される貯留管と、前記雨水流入部に一方の端部が接続された雨水流入管と、前記オーバーフロー部に一方の端部が接続されたオーバーフロー管と、前記雨水流出部に一方の端部が挿入された雨水流出管を備える雨水貯留システムであって、前記貯留管は、該貯留管の上部に地上と連通した点検口を有し、前記点検口の直下に前記雨水流出管の前記一方の端部が配置されていることを特徴とする。
【０００８】
また本発明の雨水貯留システムは、前記大口径の直管が呼び径５００ｍｍ以上の直管であることを特徴とする。
【０００９】
また本発明の雨水貯留システムは、前記貯留管は、前記雨水流入部が設けられている貯留管上流部と前記雨水流出部が設けられている貯留管下流部とを有し、前記貯留管上流部と前記貯留管下流部との間に、少なくとも１つの前記大口径の直管を連結可能であることを特徴とする。
【００１０】
また本発明の雨水貯留システムは、前記点検口に地上と連通した立ち上り管が接続されていることを特徴とする。
【００１１】
また本発明の雨水貯留システムは、前記雨水流出部が前記貯留管の前記下流側の端部の最下部に設けられていることを特徴とする。
【発明の効果】
【００１２】
本発明によれば、低コストで大量の雨水を貯留することができる雨水貯留システムを提供することができる。
【図面の簡単な説明】
【００１３】
【図１】本発明の実施の形態に係る雨水貯留システムの構成を示す側面図である。
【発明を実施するための形態】
【００１４】
以下、図面を参照して、実施の形態に係る雨水貯留システムについて説明する。図１は実施の形態に係る雨水貯留システムの構成を示す側面図である。この図においては、後述する雨水流出管の一方の端部の貯留管内における配置位置が明らかになるように、貯留管の壁部の一部を切り欠いた状態を示している。
【００１５】
雨水貯留システム２は、両端部が閉塞部材４ａにより閉塞された大口径（例えば呼び径５００ｍｍ〜６００ｍｍ又はそれ以上）の直管により構成される貯留管４を備えている。ここで貯留管４は、雨水が流入する雨水流入部６ａが形成され貯留管４の上流側に設けられた貯留管上流部６と、雨水が流出する雨水流出部８ａ及び貯留可能量を超えた場合に雨水を排出させるオーバーフロー部８ｂが形成され貯留管４の下流側に設けられた貯留管下流部８と、貯留管上流部６と貯留管下流部８との間に位置する貯留管中央部１０を有している。
なお、貯留管４は流入する雨水を貯留管下流部８に流下させるために、貯留管４全体として雨水流出部８ａへ向かって低くなるよう傾斜していることが好ましい。
【００１６】
雨水流入部６ａは、貯留管上流部６の上部に設けられ雨水流入管１２の一方の端部が接続されている。オーバーフロー部８ｂは後述する立ち上がり管２０の側部に設けられ、オーバーフロー管１４の一方の端部が接続されている。また、オーバーフロー部８ｂは雨水流入管１２の雨水流入部６ａよりも高い位置であって、雨水流入管１２の他方の端部よりも低い位置に設けられる。そして、オーバーフロー管１４の他方の端部は、下水本管（図示せず）に雨水を流入させる合流部１６に接続されている。
雨水流出部８ａは、貯留管４の下流側の端部を閉塞する閉塞部材４ａの最下部に設けられており、雨水流出部８ａには雨水流出管１８の一方の端部が挿入されている。雨水流出管１８の他方の端部は、下水本管（図示せず）に雨水を流入させる合流部１６に接続されている。雨水流出管１８の一方の端部にはごみを捕捉するスクリーン１８ａが装着されている。なお、雨水流入管１２及び雨水流出管１８は、雨水流入管１２から流入する雨水の量よりも雨水流出管１８から流出する雨水の量が少なくなるように構成されている。
貯留管４内に貯められた雨水を排水するため、雨水流出管１８は貯留管４の底面近傍となるよう設置され、貯留管４の底面に接する様に設けることが好ましい。また、雨水流出管１８は下水本管（図示せず）へ雨水を流下させるため、合流部１６へ向かって低くなるよう傾斜していることが好ましい。
【００１７】
貯留管下流部８の上部には点検口８ｃが形成されており、点検口８ｃは、該点検口８ｃに接続された立ち上り管２０により地上と連通されている。ここで雨水流出部８ａに挿入された雨水流出管１８の一方の端部は、点検口８ｃの直下に配置されている。従って、スクリーン１８ａにより捕捉されたごみの除去等の維持管理は、点検口８ｃを介して地上から行うことができる。点検口８ｃは貯留管４の側部に設けられた開口部であり、該開口部に貯留管４の側面と接続可能なサドル部を有する公知の分岐継手（例えば実開平２−８４０９４号公報など）を接続した構造や、貯留管４自体が点検口８ｃとしての分岐部を有するものなどが用いられる。
【００１８】
貯留管４の貯留管上流部６と貯留管下流部８との間に設けられている貯留管中央部１０は、両端部が開放された大口径（例えば呼び径５００〜６００ｍｍ又はそれ以上）の直管により構成されている。貯留管中央部１０の一方の端部（上流側に位置させる端部）には、内周部にパッキンを有する管接続部１０ａが設けられている。貯留管中央部１０は、他方の端部（下流側に位置させる端部）が貯留管下流部８の上流側に位置させる端部に設けられた、内周部にパッキンを有する管接続部８ｄ内に挿入されることにより貯留管下流部８と連結される。また貯留管中央部１０は、管接続部１０ａに貯留管上流部６の下流側に位置させる端部が挿入されることにより貯留管上流部６と連結される。
貯留管４としては、繊維強化プラスチック管（いわゆるＦＲＰ管）、硬質塩化ビニル管、コンクリート管、鋳鉄管、ボックスカルバートを連続して接続した管などを用いても良く、貯留管４には、円形の管に限らず、四角形、長方形などの管を用いても良いが、施工性やコストの面から軽量で安価な硬質塩化ビニル管がもっとも好ましい。
【００１９】
この雨水貯留システム２においては、雨水流入管１２から流入する雨水の量が雨水流出管１８から流出可能な雨水の量よりも少ない場合には、貯留管４内に雨水が貯留されることなく雨水が雨水流出管１８を介して合流部１６に流出する。これに対して雨水流入管１２から流入する雨水の量が雨水流出管１８から流出可能な雨水の量よりも多い場合には、貯留管４内に雨水が貯留され、貯留管４内に貯留可能な量を超えると、オーバーフロー管１４から雨水が合流部１６に排出される。
なお、雨水流出管１８から流出可能な雨水の量を調整するために、貯留管４に挿入されている雨水流出管１８の一方の端部にオリフィス（図示せず）を設けても良い。このオリフィスは雨水流出管１８の一方の端部の開口部よりも小さい通水孔を有し、雨水流出管１８の一方の端部の開口部からの雨水の流出量を規制するものである。
【００２０】
この実施の形態に係る雨水貯留システムは、貯留管が大口径の直管により構成されており、地面の浅い位置、例えば貯留管４の呼び径以上１．５ｍ以下などに埋設できることから施工のために地面を深く開削する必要がなく施工費用を低減させることができる。また施工作業も簡単なものとなり部材コストも安く抑えられるため施工費の低減を図ることができる。また立ち上がり管の直下に雨水流出管の一方の端部が配置されているため、雨水貯留システムの維持管理を容易に行うことができる。
【００２１】
なお上述の実施の形態において貯留管中央部１０を複数の大口径の直管により構成するようにしてもよい。この場合には、貯留管中央部１０を構成する大口径の直管の一方の端部（上流側に位置させる端部）に設けられた管接続部１０ａ内に大口径の直管の他方の端部（下流側に位置させる端部）を挿入することにより順次大口径の直管を連結する。このようにして大口径の直管を連続して連結することにより貯留量を簡単に増大させることができる。
【符号の説明】
【００２２】
２…雨水貯留システム、４…貯留管、４ａ…閉塞部材、６…貯留管上流部、６ａ…雨水流入部、８…貯留管下流部、８ａ…雨水流出部、８ｂ…オーバーフロー部、８ｃ…点検口、１０…貯留管中央部、１２…雨水流入管、１４…オーバーフロー管、１６…合流部、１８…雨水流出管、１８ａ…スクリーン、２０…立ち上り管
【図１】
0006626354.tif 000002